(57)【要約】  【課題】発泡倍率の低下を防止する。  【解決手段】発泡用網７と放射ノズル９を有する起泡部３と、該起泡部３に放出区画１の空気を供給する空気吸引部５と、を備えた高膨張泡消火設備であって；前記空気吸引部５に、煙を蒸発させるためのヒータ１０を設ける。  【選択図】  図１
2008119168.tif 000002
【特許請求の範囲】
【請求項１】
放射ノズルを有する起泡部と、該起泡部に放出区画の空気を供給する空気吸引部と、を備えた高膨張泡消火設備であって；
前記空気吸引部に、液状の微粒子である煙を蒸発させるための加熱手段を設けたことを特徴とする高膨張泡消火設備。
【請求項２】
前記加熱手段が、前記煙を８０度Cに加熱することを特徴とする請求項１記載の高膨張泡消火設備。
【請求項３】
空気吸引部から吸引された放出区画の空気を起泡部に供給しながら、該起泡部において放射ノズルから泡水溶液を放出して発泡用網に衝突させる高膨張泡消火設備の発泡方法であって；
前記空気吸引部に吸引した空気を所定温度に加熱して蒸発させた後、前記空気を起泡部に供給することを特徴とする高膨張泡消火設備の発泡方法。
【発明の詳細な説明】
【技術分野】
【０００１】
この発明は、石油タンクのピット、石油コンビナートのカルバート、或いは、船室、船倉等に用いられる高膨張泡消火設備及びその発泡方法に関するものであり、更に述べると、発泡倍率の低下を防止できる、高膨張泡消火設備及びその発泡方法に関するものである。
【背景技術】
【０００２】
泡消火設備では、放射ノズルから泡水溶液を放出し、それを発泡用網に衝突させて空気を吸い込ませることにより発泡させ、この泡で火源を埋め尽くし、窒息消火を行っている。この泡消火設備には、低発泡消火設備と高発泡（高膨張）消火設備とがある。
【０００３】
前記両消火設備では、発泡倍率が異なり、例えば、低発泡消火設備の発泡倍率は２０以下、高膨張消火設備の発泡倍率は、８０以上１０００未満、である。ここで発泡倍率とは、泡水溶液と生成された泡の体積比をいう。
【０００４】
高膨張泡、例えば、発泡倍率５００以上で泡を発生させるためには、放射ノズルの上流側から大量の空気を取り込む必要があるが、前記大量の空気を取り込む場合には、室外の空気を吸引する方式（「アウトサイドエア」という）が一般的である。
【０００５】
しかし、このアウトサイドエアでは、外部の空気を利用するために、建屋にダクトを貫設したり、隔壁に穴を開けて泡発生器を配設したりするので、コストが嵩む等の問題がある。
【０００６】
そこで、上記問題を解決するため、泡を放出する区画内の空気を吸引する方式（「インサイドエア」という）の高膨張泡消火設備が用いられている(例えば、特許文献１参照)。
【０００７】
【特許文献１】特開平６−１６５８３７号公報
【発明の開示】
【発明が解決しようとする課題】
【０００８】
インサイドエアの高膨張泡消火設備では、火災時に発生する煙の質・量によっては、発泡倍率が設計通りにならず、例えば、設計された発泡倍率が５００の場合には、実際の発泡倍率が１００、となってしまう場合がある。この様に発泡倍率が低下すると、泡で火源を完全に覆い尽くすことができなくなるので、効果的に窒息消火を行うことができなくなる。発泡倍率が低下する原因は、後で詳細に述べるが、主として、空気中の煙の存在である。
【０００９】
この発明は、上記事情に鑑み、発泡倍率の低下を防止することを目的とする。
【課題を解決するための手段】
【００１０】
この発明は、放射ノズルを有する起泡部と、該起泡部に放出区画の空気を供給する空気吸引部と、を備えた高膨張泡消火設備であって；前記空気吸引部に、液状の微粒子である煙を蒸発させるための加熱手段を設けたことを特徴とする。
【００１１】
この発明の前記加熱手段が、前記煙を８０度Cに加熱することを特徴とする。
【００１２】
この発明は、空気吸引部から吸引された放出区画の空気を起泡部に供給しながら、該起泡部において放射ノズルから泡水溶液を放出して発泡用網に衝突させる高膨張泡消火設備の発泡方法であって；前記空気吸引部に吸引した空気を所定温度に加熱して蒸発させた後、前記空気を起泡部に供給することを特徴とする。
【発明の効果】
【００１３】
この発明は、以上のように構成したので、起泡部には清浄な空気が供給される。そのため、発泡倍率の低下を防止できるので、設計通りの発泡倍率を得ることができ、効果的に消火を行うことができる。
【発明を実施するための最良の形態】
【００１４】
本件発明者は、高膨張泡消火設備の発泡倍率の低下原因について研究、実験したところ、液状の微粒子である「煙」に主な原因があることが分かった。この煙は、火災の発生により室（泡の放出区画）内に発生するが、液体の微粒子、例えば、粒径０.１μmの微粒子、となって室内に浮遊する。この微粒子が、空気吸引部により室内の空気を吸引したときに、空気と一緒になって起泡部に供給され、発泡倍率を低下させているのである。
【００１５】
そこで、本発明者は、起泡部に煙を除去した清浄な空気を供給すれば、前記課題は解決できるものと考え、その手段等を検討し実験した。
その結果、起泡部に放出区画の空気を供給する空気吸引部に、煙を蒸発させるための加熱手段を設ければ良いことが分かった。
本件発明は、以上の知見に基づいてなされたものである。
【実施例】
【００１６】
この発明の実施例を図１により説明する。
泡の放出区画である部屋（室）１には、高膨張泡消火設備が設けられている。この消火設備は、例えば、発泡倍率５００であり、円筒状の起泡部３と、該起泡部３に空気を供給する空気吸引部５と、を備えている。
【００１７】
起泡部３の先端には、発泡用網（ネット）７が張設され、又、その中央部には、複数の放射ノズル９が設けられている。この放射ノズル９は、前記網７に対向して配設され、泡水溶液を生成する混合器(図示省略)に連結されている。
【００１８】
空気吸引部５は、前記起泡部３と同径のダクトにより形成され、その内部には煙を加熱するための加熱手段が設けられている。
【００１９】
この加熱手段として、例えば、図２に示すような、格子面に囲まれた立方体状のヒータ１０が用いられるが、必ずしもこれに限定されるものではなく、例えば、空気の流れ方向（軸方向）又はその方向と直交する方向（径方向）に複数のニクロム線を平行に配設してもよい。又、加熱手段を空気吸引部５の外側に設け、外部から加熱しても良い。
【００２０】
次に本実施例の作動について説明する。
部屋１内で火災が発生すると、図示しない火災感知器が火災を検知し、制御盤に火災信号を送出する。
【００２１】
そうすると、該制御盤は、高膨張泡消火設備を起動させるので、放射ノズル９から泡水溶液wが放出され、該泡水溶液ｗは発泡用網７に衝突して微細化されながら空気を吸い込んで発泡する。この泡は、火源に向かって落下し該火源を覆い尽くすので、窒息消火、冷却消火などが行われる。
【００２２】
この時、部屋１内では、火災に基づく煙Ｈが発生しており、この煙Ｈは室内の空気Ｋと一緒になって空気吸引部５に吸引されるが、該吸引部５には、ヒータ１０が設けられ所定温度、例えば、８０度、又はその前後、に加熱されているので、液状の微粒子である煙は、蒸発し気体の状態に変化する。そのため、起泡部３には、液状の微粒子（煙）を含んでいない、又は、ごく少量の煙を含んでいる、空気Ｋが供給されるため、安定した発泡倍率を得ることができるので、効率よく消火することができる。
【００２３】
なお、実験によると、煙の温度を下げると発泡倍率が低下することが明らかとなった。この観点からしても、煙を加熱することは、発泡倍率を維持する上で好ましいことである。
【図面の簡単な説明】
【００２４】
【図１】本発明の実施例を示す正面図である。
【図２】ヒータを示す斜視図である。
【符号の説明】
【００２５】
１    部屋
３    起泡部
５    空気吸引部
７    発泡用網
９    放射ノズル
１０  ヒータ
Ｋ    空気
Ｈ    煙
【図１】
2008119168.tif 000003
【図２】
2008119168.tif 000004